(57)【要約】【課題】各種電子機器に使用される開閉装置に関し、開閉操作による擦り傷等がなく、滑らかな開閉操作が可能なものを提供することを目的とする。【解決手段】ばね３の上係止部３Ｄと可動体２との間に、巻回部３Ａ及び上アーム部３Ｂの可動体２下面への当接を阻止する規制部材１１を挟持することによって、規制部材１１により巻回部３Ａや上アーム部３Ｂと可動体２下面の間に所定の隙間が形成され、開閉操作の際に、これらが当接しないため、操作による擦り傷等の外観上の不具合を防ぎ、滑らかな開閉操作が可能な開閉装置を得ることができる。【選択図】図１
2007242993.tif 000002
【特許請求の範囲】
【請求項１】
略板状の固定体と、この固定体上面に所定方向へ移動可能に装着された可動体と、中間の巻回部から延出した上下アーム部の両端の上下係止部が、上記可動体及び上記固定体に係止されたばねからなり、上記上係止部と上記可動体の間又は上記下係止部と上記固定体の間の少なくとも一方に、上記巻回部及び上記上下アーム部の可動体又は固定体への当接を阻止する規制部材を挟持した開閉装置。
【請求項２】
略板状の固定体と、この固定体上面に所定方向へ移動可能に装着された可動体と、中間の巻回部から延出した上下アーム部の両端の上下係止部が、上記可動体及び上記固定体に係止されたばねからなり、上記ばねの上記巻回部の上面又は下面の少なくとも一方を保護部材で覆った開閉装置。
【発明の詳細な説明】
【技術分野】
【０００１】
本発明は、携帯電話やパーソナルコンピュータ等の、各種電子機器に使用される開閉装置に関するものである。
【背景技術】
【０００２】
近年、携帯電話やパーソナルコンピュータ等の電子機器の多様化や高機能化が進むなか、固定筐体に対し可動筐体を開閉させて、様々な操作を行うものが増えており、これらに用いられる開閉装置においても、確実な開閉操作が可能なものが求められている。
【０００３】
このような従来の開閉装置を用いた電子機器について、主に携帯電話を例に、図５〜図８を用いて説明する。
【０００４】
図７は従来の開閉装置の断面図、図８は同分解斜視図であり、同図において、１は両端が折曲された略板状の固定体、２は同じく可動体で、可動体２が固定体１上面に左右方向へ移動可能に装着されている。
【０００５】
また、３は線状のばねで、中間には螺旋状に巻回された複数の巻回部３Ａが重ねて形成されると共に、この上下端から延出した上アーム部３Ｂと下アーム部３Ｃ先端には、上係止部３Ｄと下係止部３Ｅが設けられている。
【０００６】
そして、４Ａと４Ｂはかしめ等によって可動体２と固定体１に固着された複数のピンで、対称に配置されやや撓んだ状態の一対のばね３が、このピン４Ａと４Ｂによって両端の上下係止部３Ｄと３Ｅを各々係止され、固定体１に対して可動体２を左または右方向へ付勢して、開閉装置５が構成されている。
【０００７】
また、このように構成された開閉装置５は、例えば、図５の携帯電話の斜視図に示すように、固定体１が上面に複数のキーからなる操作部２２Ａやマイクロフォン等の音声入力部２２Ｂが形成された固定筐体２２へ、可動体２が上面に液晶表示素子等の表示部２３Ａやスピーカ等の音声出力部２３Ｂが形成された可動筐体２３へ各々装着され、開閉装置５によって固定筐体２２に対して可動筐体２３が左右方向へ移動可能に保持されて電子機器が構成される。
【０００８】
以上の構成において、図５や図７に示すように、一対のばね３によって固定体１に対して可動体２が右方向へ付勢された状態では、可動体２が装着された可動筐体２３が固定筐体２２に対して右方向へ付勢されて移動し、音声入力部２２Ｂや音声出力部２３Ｂが露出し通話等が可能な、可動筐体２３が開いた状態で保持されている。
【０００９】
そして、この閉状態から、可動筐体２３を手で左方向へ摺動すると、この操作に伴って可動筐体２３に装着された可動体２が左方向へ移動し、ピン４Ａによって可動体２に係止された上係止部３Ｄが、ピン４Ｂによって固定体１に係止された下係止部３Ｅを超える位置になると、一対のばね３が反転して可動体２が左方向へ付勢され、可動筐体２が固定筐体１上に重なった状態、即ち閉じた状態で保持される。
【００１０】
つまり、可動筐体２３に装着された可動体２を手で左または右方向へ移動させ、ばね３の力によって可動体２を左または右方向へ付勢することで、固定筐体２２に対する可動筐体２３の開閉操作が行われるように構成されている。
【００１１】
なお、このような開閉装置５に用いるばねは、上記のような中間が複数回重ねて巻回されたばね３の他、中間が略Ｕ字状に折曲されたものも使用が可能であるが、手で開閉操作を行う際に重過ぎず、かつ、固定体１に対して可動体２を左または右方向へ移動した状態を確実に保持するためには、ばね３に所定の付勢力が必要となる。
【００１２】
また、携帯電話等の比較的小さな機器に用いられるため、全体の形状をあまり大きくすることも困難なことから、上記のような所定の付勢力が得易い、中間に同じ径の複数の巻回部３Ａが重ねて形成されたばね３が一般に用いられているものであった。
【００１３】
なお、この出願の発明に関連する先行技術文献情報としては、例えば、特許文献１が知られている。
【特許文献１】特開２００３−１１０６７５号公報
【発明の開示】
【発明が解決しようとする課題】
【００１４】
しかしながら、上記従来の開閉装置５においては、固定体１に対して可動体２を左右方向に移動させて開閉操作し、ばね３が撓んで可動体２を左又は右方向へ付勢する際に、巻回部３Ａや上下アーム部３Ｂ、３Ｃに生じる力によって、図７の実線の矢印で示すように、巻回部３Ａや上下アーム部３Ｂ、３Ｃが上又は下方向へ変形し、対向する可動体２や固定体１の表面に当接して擦りながら左右方向へ移動するため、これらの表面に擦り傷が生じる。
【００１５】
そして、図６の斜視図に示すように、可動筐体２３の裏面となる可動体２下面に擦り傷が生じた場合には、開閉装置５の開状態で外から視認できるため、外観に不具合があるものになると共に、この擦り傷によって可動筐体２３の開閉操作に引っ掛かり感が生じ、滑らかな操作が行いづらくなるという課題があった。
【００１６】
本発明は、このような従来の課題を解決するものであり、開閉操作による擦り傷等がなく、滑らかな開閉操作が可能な開閉装置を提供することを目的とする。
【課題を解決するための手段】
【００１７】
上記目的を達成するために本発明は、以下の構成を有するものである。
【００１８】
本発明の請求項１に記載の発明は、中間の巻回部から上下アーム部が延出したばねの上係止部と可動体の間、又は下係止部と固定体の間の少なくとも一方に、巻回部や上下アーム部の可動体又は固定体への当接を阻止する規制部材を挟持して開閉装置を構成したものであり、開閉装置の操作の際に、規制部材によって巻回部や上下アーム部と可動体又は固定体の間に所定の隙間が形成され、これらが当接しないため、開閉操作による擦り傷等の外観上の不具合を防ぎ、滑らかな開閉操作が可能な開閉装置を得ることができるという作用を有する。
【００１９】
本発明の請求項２に記載の発明は、ばねの中間にある巻回部の上面又は下面の少なくとも一方を、保護部材で覆って開閉装置を構成したものであり、例えば樹脂等の保護部材を巻回部に装着して、巻回部の上下面の内、所定の面を保護部材で覆うことによって、開閉操作の際にばねの巻回部が可動体や固定体に直接、当接しないため、可動体や固定体に擦り傷等が付かず、滑らかな開閉操作が可能な開閉装置を得ることができるという作用を有する。
【発明の効果】
【００２０】
以上のように本発明によれば、擦り傷等がなく、滑らかな開閉操作が可能な開閉装置を実現することができるという有利な効果が得られる。
【発明を実施するための最良の形態】
【００２１】
以下、本発明の実施の形態について、図１〜図６を用いて説明する。
【００２２】
なお、背景技術の項で説明した構成と同一構成の部分には同一符号を付して、詳細な説明を簡略化する。
【００２３】
（実施の形態１）
実施の形態１を用いて、本発明の特に請求項１記載の発明について説明する。
【００２４】
図１は本発明の第１の実施の形態による開閉装置の断面図、図２は同分解斜視図であり、同図において、１は両端が折曲された鋼や銅合金等の金属製で略板状の固定体、２は同じく可動体で、可動体２が固定体１上面に左右方向へ移動可能に装着されている。
【００２５】
また、３は全体が略くの字状で鋼線や銅合金線等のばねで、中間に螺旋状に巻回された複数の巻回部３Ａが重ねて形成されると共に、この上下端から延出した上アーム部３Ｂと下アーム部３Ｃ先端には、略環状の上係止部３Ｄと下係止部３Ｅが設けられている。
【００２６】
そして、１０Ａと１０Ｂはかしめ等によって可動体２と固定体１に固着された複数のピンで、対称に配置されやや撓んだ状態の一対のばね３が、このピン１０Ａと１０Ｂによって両端の係止部３Ｄと３Ｅを各々係止され、固定体１に対して可動体２を左または右方向へ付勢している。
【００２７】
また、１１は略板状でポリオキシメチレン等の樹脂製の規制部材で、可動体２下面と一対の上係止部３Ｄとの間に挟持されると共に、複数のピン１０Ａが各々の上係止部３Ｄと規制部材１１の複数の通孔１１Ａを挿通し、可動体２に固着されて開閉装置１５が構成されている。
【００２８】
そして、このように構成された開閉装置１５は、例えば、図５の携帯電話の斜視図に示すように、固定体１が上面に複数のキーからなる操作部２２Ａやマイクロフォン等の音声入力部２２Ｂが形成された固定筐体２２へ、可動体２が上面に液晶表示素子等の表示部２３Ａやスピーカ等の音声出力部２３Ｂが形成された可動筐体２３へ各々装着され、開閉装置１５によって固定筐体２２に対して可動筐体２３が左右方向へ移動可能に保持されて電子機器が構成される。
【００２９】
以上の構成において、図１や図５に示すように、一対のばね３によって固定体１に対して可動体２が右方向へ付勢された状態では、可動体２が装着された可動筐体２３が固定筐体２２に対して右方向へ付勢されて移動し、音声入力部２２Ｂや音声出力部２３Ｂが露出し通話等が可能な、可動筐体２３が開いた状態で保持されている。
【００３０】
そして、この閉状態から、可動筐体２３を手で左方向へ摺動すると、この操作に伴って可動筐体２３に装着された可動体２が左方向へ移動し、ピン１０Ａによって可動体２に係止された上係止部３Ｄが、ピン１０Ｂによって固定体１に係止された下係止部３Ｅを超える位置になると、一対のばね３が反転して可動体２が左方向へ付勢され、可動筐体２が固定筐体１上に重なった場合、即ち閉じた状態で保持される。
【００３１】
つまり、可動筐体２３に装着された可動体２を手で左または右方向へ移動させ、ばね３の力によって可動体２を左または右方向へ付勢することで、固定筐体２２に対する可動筐体２３の開閉操作が行われるように構成されている。
【００３２】
なお、このように固定体１に対して可動体２を左右方向に移動させて開閉操作した際、可動体２を左又は右方向へ付勢するばね３は、巻回部３Ａや上下アーム部３Ｂ、３Ｃに生じる力によって、巻回部３Ａや上下アーム部３Ｂ、３Ｃが上又は下方向へ変形するが、可動体２と上係止部３Ｄの間には規制部材１１が挟持されているため、巻回部３Ａや上アーム部３Ｂが可動体２下面に当接しないようになっている。
【００３３】
つまり、可動体２と上係止部３Ｄの間に挟持した規制部材１１によって、巻回部３Ａや上アーム部３Ｄと可動体２下面との間には所定の隙間が確保されているため、巻回部３Ａや上アーム部３が上又は下方向へ変形しても、これらが可動体２下面に当接し、可動体２下面に擦り傷等が生じないように構成されている。
【００３４】
したがって、図６の斜視図に示すように、携帯電話の開状態で裏面から見えるような外観部である可動体２下面の表面にも、開閉操作に伴うばね３による擦り傷等は生じず、こうした外観上の不具合を防ぐと共に、操作時の引っ掛かり感等もなく、滑らかな開閉操作が可能なようになっている。
【００３５】
また、規制部材１１は上係止部３Ｄと可動体２との間に上述のように挟持されてはいるが、規制部材１１と可動体２の間や上係止部３Ｄとピン１０Ａの間には所定の隙間が設けられているため、開閉操作時には上アーム部３Ｂが滑らかに回動し、開閉装置１５の開閉操作が確実に行われるようになっている。
【００３６】
このように本実施の形態によれば、ばね３の上係止部３Ｄと可動体２との間に、巻回部３Ａ及び上アーム部３Ｂの可動体２下面への当接を阻止する規制部材１１を挟持することによって、規制部材１１により巻回部３Ａや上アーム部３Ｂと可動体２下面の間に所定の隙間が形成され、開閉操作の際に、これらが当接しないため、操作による擦り傷等の外観上の不具合を防ぎ、滑らかな開閉操作が可能な開閉装置を得ることができるものである。
【００３７】
なお、以上の説明では、ばね３の上係止部３Ｄと可動体２との間にのみ既成部材１１を挟持した構成について説明したが、固定体１が外観となるように電子機器に配置される場合等には、規制部材１１をばね３の下係止部３Ｅと固定体１との間に挟持しても本発明の実施は可能であり、さらに、規制部材１１を上係止部３Ｄと可動体２の間、及び下係止部３Ｅと固定体１との間の両方に各々挟持させても良い。
【００３８】
（実施の形態２）
実施の形態２を用いて、本発明の特に請求項２記載の発明について説明する。
【００３９】
なお、実施の形態１の構成と同一構成の部分には同一符号を付して、詳細な説明を省略する。
【００４０】
図３は本発明の第２の実施の形態による開閉装置の断面図、図４は同分解斜視図であり、同図において、略板状の固定体１の上面に可動体２が左右方向へ移動可能に装着されていることは、実施の形態１の場合と同様である。
【００４１】
また、複数の巻回部３Ａから延出する上アーム部３Ｂと下アーム部３Ｃを設けたばね３が、固定体１及び可動体２にピン１０Ａや１０Ｂによって上下係止部３Ｄや３Ｅを各々係止させて、固定体１に対して可動体２を左または右方向へ付勢していることも実施の形態１の場合と同様である。
【００４２】
そして、１２はポリオキシメチレン等の樹脂製の保護部材で、上部には略円盤状の保護部１２Ａが、下部には略円柱状の保持部１２Ｂが形成されると共に、保持部１２Ｂがばね３の巻回部３Ａ内に圧入されて保持されている。
【００４３】
さらに、この保護部材１２の保護部１２Ａの直径は、巻回部３Ａの直径より大きく形成されると共に、この巻回部３Ａ上面を覆った保護部１２Ａが可動体２下面と対向して、開閉装置１６が構成されている。
【００４４】
そして、このように構成された開閉装置１６が図５に示すように、固定体１が固定筐体２２へ、可動体２が可動筐体２３へ各々装着され、開閉装置１６によって固定筐体２２に対して可動筐体２３が左右方向へ移動可能に保持されて電子機器が構成されると共に、可動筐体２３に装着された可動体２を手で左または右方向へ移動させることによって、ばね３が可動体２を左または右方向へ付勢して、固定筐体２２に対する可動筐体２３の開閉操作が行われることも、実施の形態１の場合と同様である。
【００４５】
なお、この開閉操作の際、ばね３は巻回部３Ａや上下アーム３Ｂ、３Ｃに生じる力によって、巻回部３Ａや上下アーム部３Ｂ、３Ｃが上又は下方向へ変形するが、この時、巻回部３Ａの上面を保護部１２Ａが覆っているため、巻回部３Ａが上方向ヘ変形しても、樹脂製の軟らかな保護部１２Ａが金属板製の可動体２下面に当接して、金属線製の巻回部３Ａや上アーム部３Ｂが直接、可動体２下面に当接しないようになっている。
【００４６】
つまり、ばね３の巻回部３Ａの上面を保護部材１２の保護部１２Ａで覆うことによって、巻回部３Ａや上下アーム部３Ｂ、３Ｃが可動体２下面に当接し、可動体２下面に擦り傷等が生じないように構成されている。
【００４７】
したがって、図６の斜視図に示すように、携帯電話の開状態で裏面から見えるような外観部である可動体２下面の表面にも、開閉操作に伴うばね３による擦り傷等は生じず、こうした外観上の不具合を防ぐと共に、操作時の引っ掛かり感等もなく、滑らかな開閉操作が可能なようになっている。
【００４８】
このように本実施の形態によれば、ばね３の巻回部３Ａの上面を保護部材１２の保護部１２Ａで覆うことによって、開閉装置１６の開閉操作の際にばね３が上下方向へ変形しても、保護部１２Ａが可動体２下面に当接し、可動体２下面の表面に擦り傷等の外観上の不具合が生じることを防ぐと共に、引っ掛かり感等のない、滑らかな開閉操作が可能な開閉装置１６を得ることができるものである。
【００４９】
また、保護部材１２の略円筒状の保持部１２Ｂを、ばね３の巻回部３Ａに圧入して装着することによって、ワンタッチで保護部材１２をばね３へ装着でき、容易に組立てが行えると共に、開閉操作時に巻回部３Ａから保護部材１２が外れにくいものにすることができる。
【００５０】
なお、以上の説明では、可動体２側の巻回部３Ａ上面を保護部材１２の保護部１２Ａで覆った構成について説明したが、これとは逆に、巻回部３Ａ下方から保護部材１２を圧入装着し、固定体１側の巻回部３Ａ下面を保護部１２Ａで覆う構成としても、本発明の実施は可能である。
【００５１】
さらに、略円筒状の保持部１２Ｂを圧入嵌合可能なように形成し、この二つの保護部材を巻回部３Ａ上面及び下面から装着して、巻回部３Ａの上下面共を覆い、可動体２下面及び固定体１上面の両方に、擦り傷等が生じないようにしてもよい。
【００５２】
また、以上の説明では、保護部材１２の保護部１２Ａを略円盤状に形成し、ばね３の巻回部３Ａの全面を覆うような形状としたが、保護部１２Ａを略Ｉ字状や略Ｘ字状、あるいは略三角状などの形状に形成し、巻回部３Ａの所定面の一部を覆うような構成としても、本発明の実施は可能である。
【産業上の利用可能性】
【００５３】
本発明による開閉装置は、開閉操作による擦り傷等がなく、滑らかな開閉操作が可能なものを得ることができ、各種電子機器の開閉装置として有用である。
【図面の簡単な説明】
【００５４】
【図１】本発明の第１の実施の形態による開閉装置の断面図
【図２】同分解斜視図
【図３】本発明の第２の実施の形態による開閉装置の断面図
【図４】同分解斜視図
【図５】携帯電話の斜視図
【図６】携帯電話の裏面斜視図
【図７】従来の開閉装置の断面図
【図８】同分解斜視図
【符号の説明】
【００５５】
１  固定体
２  可動体
３  ばね
３Ａ  巻回部
３Ｂ  上アーム部
３Ｃ  下アーム部
３Ｄ  上係止部
３Ｅ  下係止部
１０Ａ、１０Ｂ  ピン
１１  規制部材
１１Ａ  通孔
１２  保護部材
１２Ａ  保護部
１２Ｂ  保持部
１５、１６  開閉装置
２２  固定筐体
２２Ａ  操作部
２２Ｂ  音声入力部
２３  可動筐体
２３Ａ  表示部
２３Ｂ  音声出力部
【図１】
2007242993.tif 000003
【図２】
2007242993.tif 000004
【図３】
2007242993.tif 000005
【図４】
2007242993.tif 000006
【図５】
2007242993.tif 000007
【図６】
2007242993.tif 000008
【図７】
2007242993.tif 000009
【図８】
2007242993.tif 000010